(57)【特許請求の範囲】
【請求項１】
屋外と屋内との間で自然給気を行う自然給気ユニットであり、
屋内側の壁面に開口する自然給気口に連通し外気を吸い込む吸込口を有する筒体と、
偏平箱状を成し前記筒体の室内側に接続され側面に吹出口を形成し、前記筒体とともに前記吸込口から前記吹出口に外気を誘導案内する風路を形成する本体と、
前記風路に設けられ吸い込んだ外気を濾過するフィルターと、を備え、
前記本体は、前記吹出口を開閉する側面シャッターを有し、
前記側面シャッターは、前記吹出口に対向して設けられた一対のレールと、前記レールにスライド可能に支持された側面シャッター板を含んで構成され、
前記側面シャッター板は、全閉状態のとき吹出口側の端縁を、前記吹出口の開口縁部に設けられた弾性部材に全長にわたり密着させる
ことを特徴とする自然給気ユニット。
【請求項２】
屋外と屋内との間で自然給気を行う自然給気ユニットであり、
屋内側の壁面に開口する自然給気口に連通し外気を吸い込む吸込口を有する筒体と、
偏平箱状を成し前記筒体の室内側に接続され側面の前側に吹出口を形成し、前記筒体とともに前記吸込口から前記吹出口に外気を誘導案内する風路を形成する本体と、を備え、
前記本体は、前記吹出口を開閉する側面シャッターを有し、
前記側面シャッターは、前記吹出口に対向して設けられた一対のレールと、前記レールに支持されて前後にスライド可能に支持されて後方へのスライド時に前記本体の側面の内側に入り込む側面シャッター板を含んで構成され、
前記側面シャッター板には、その前端部から外側に突出する基部と、前記基部の先端から後方に延出された折り返し部と、前記折り返し部の前端よりも後方に形成されて外側に突出する引掛け部が設けられ、
前記側面シャッター板と前記折り返し部との間隔は、前記本体の側面の厚さよりも大きく、前記側面シャッター板が全開状態のとき前記側面シャッター板と前記折り返し部との間に前記本体の側面の一部が挟みこまれる
ことを特徴とする自然給気ユニット。
【請求項３】
前記本体の前面を覆う前面パネルをさらに備え、
前記引掛け部は、正面視において前記前面パネルより外側に突出していない
ことを特徴とする請求項２に記載の自然給気ユニット。
【請求項４】
前記本体の側面のうち、前記側面シャッター板と前記折り返し部との間に挟まれる部分の前端には、前記基部が嵌まる切り欠きが形成される
ことを特徴とする請求項２または３に記載の自然給気ユニット。
【請求項５】
前記本体は、前記風路を開閉する風路シャッターを有しており、
前記風路シャッターは、複数枚の主シャッター板が前記風路に直交する方向にスライドし重なって収納されるスライドシャッターである
ことを特徴とする請求項１から４のいずれか１つに記載の自然給気ユニット。
【請求項６】
前記複数枚の主シャッター板は、前記本体内に前記風路を挟んで対向して設けられた一対のレールにより、スライド可能に支持されている
ことを特徴とする請求項５に記載の自然給気ユニット。
【請求項７】
前記フィルターは、前記風路から着脱自在とされており、
前記フィルターを前記風路シャッターから所定距離離して前記風路内に支持する格子枠を有し、
前記格子枠は、前記主シャッター板のストッパーを兼ねる
ことを特徴とする請求項５または６に記載の自然給気ユニット。
【請求項８】
前記主シャッター板に連結し前記風路シャッターを開閉する操作レバーと、
前記主シャッター板のスライド方向に延び前記操作レバーを係止する複数のノッチが形成されたノッチ板とを備えた
ことを特徴とする請求項５から７のいずれか１つに記載の自然給気ユニット。
【請求項９】
前記一対のレールは、前記主シャッター板の上部と下部に対向して設けられ、
下部に設けられた前記レールの前側の側壁が、後側の側壁よりも高い
ことを特徴とする請求項６に記載の自然給気ユニット。
【発明の詳細な説明】
【技術分野】
【０００１】
本発明は、屋外から屋内へ自然給気により外気を取り入れる風路が形成された自然給気ユニットに関する。
【背景技術】
【０００２】
屋外から屋内へ外気を取り入れる換気装置においては、屋外に通じる換気経路より風雨や冷気あるいは粉塵などが侵入するおそれがある。その為、換気経路の端部を覆って保護するための機構を備えている。
【０００３】
なかでも、屋内側の壁面に開口する換気口に取り付けられる換気装置においては、グリル部分を屋内壁面から突出させて設置される。そして、屋外から屋内へ外気を取り入れる換気装置においては、室外から取り入れた外気が直接人体に当たらないよう、外気を室内に取り込む開口を、グリル正面に吹き出し方向を上方に向けて形成したり、またグリル側面に吹出口を形成したりする。側面方向への吹き出しに関しては、冬場の冷気などが直接身体に影響を与えないよう下方向へは吹き出させないようにしたり、また周囲の壁面汚れを防止する為に、側面への吹き出しをさせず上方向のみに吹出口を設ける構造もある。
【０００４】
このような屋外から屋内へ外気を取り入れる換気装置において、従来、グリル側面に形成した吹出口に開閉自在の側面シャッターを設け、吹き出し方向の変更や吹出口を閉鎖できるようにして、壁面汚れや冷風感を低減することが提案されている（例えば、特許文献１）。
【先行技術文献】
【特許文献】
【０００５】
【特許文献１】特開２００９−２２９０５７号公報
【発明の概要】
【発明が解決しようとする課題】
【０００６】
しかしながら、上記特許文献に開示された換気装置は、送風ファンなどの駆動手段を装備し、屋外と屋内との間で強制換気を行うものであり、本願のもののように、屋内側の壁面などに開口する第３種換気（自然給気口）経路の端部に設けられて、屋外と屋内との間で自然給気を行う自然給気ユニットではない。
【０００７】
そして、屋外から屋内へ自然給気により外気を取り入れる風路が形成された自然給気ユニットに関しては、比較的小型で簡易な構造であるために、従来、側面シャッターを有するものはなかった。つまり、従来の自然給気ユニットでは、屋内側へ設けられた吹出口の吹き出し方向は固定されており、風向を変更したり、開口部を閉鎖できるものは存在していなかった。そのため、自然給気ユニットにおいて、側面シャッターを備えたものが求められていた。
【０００８】
さらに、上記特許文献に開示された換気装置の側面シャッターは、気密性が十分に確保されるものでなく、また、操作性が十分に良くなく、さらに、全開したときの開口面積が十分に広くないので改善が望まれていた。
【０００９】
本発明は、上記に鑑みてなされたものであって、自然給気を行う自然給気ユニットにおいて、給気気流による壁面汚れや冷風感を低減させ、コストが増大することなく簡単な構造で実現でき、気密性に優れ、操作性が良く、全開したときの開口面積を十分に広くして、換気抵抗を低減する側面シャッターを有する自然給気ユニットを提供することを目的とする。
【課題を解決するための手段】
【００１０】
上述した課題を解決し、目的を達成するために、本発明に係る自然給気ユニットは、屋外と屋内との間で自然給気を行う自然給気ユニットであり、屋内側の壁面に開口する自然給気口に連通し外気を吸い込む吸込口を有する筒体と、偏平箱状を成し筒体の室内側に接続され側面に吹出口を形成し、筒体とともに吸込口から吹出口に外気を誘導案内する風路を形成する本体と、風路に設けられ吸い込んだ外気を濾過するフィルターとを備え、本体は、吹出口を開閉する側面シャッターを有し、側面シャッターは、吹出口に対向して設けられた一対のレールと、レールにスライド可能に支持された側面シャッター板を含んで構成されていることを特徴とする。
【発明の効果】
【００１１】
本発明に係る自然給気ユニットによれば、本体は、吹出口を開閉する側面シャッターを有しているので、自然給気を行う自然給気ユニットにおいて、給気気流による壁面汚れや冷風感を低減させることができ、また、側面シャッターは、吹出口に対向して設けられた一対のレールと、レールにスライド可能に支持された側面シャッター板を含んで構成されているので、コストが増大することなく簡単な構造で実現でき、気密性に優れ、操作性が良いという効果を奏する。
【図面の簡単な説明】
【００１２】
【図１】図１は、この発明にかかる自然給気ユニットの全体を示す斜視図である。
【図２】図２は、図１の自然給気ユニットのグリルとパイプガイドとを分離することによりフィルターを外した様子を示す斜視図である。
【図３】図３は、図２の状態からグリルをさらに分解した様子を示す分解斜視図である。
【図４】図４は、正面パネルを外した状態で風路シャッターが半分開いた様子を示す斜視図である。
【図５】図５は、正面パネルを外した状態で風路シャッターが全閉した様子を示す斜視図である。
【図６】図６は、自然給気ユニットを半分に切断した様子を示す斜視図である。
【図７】図７は、図６のＣ部分を拡大して示す斜視図である。
【図８】図８は、風路シャッターが全閉した様子を示す横断面図である。
【図９】図９は、操作レバーがノッチ板のノッチと係合した様子を示す斜視図である。
【図１０】図１０は、操作レバーがノッチと係合する様子を示す図９のＦ部分の拡大斜視図である。
【図１１】図１１は、操作レバーがノッチから外れた様子を示す図９のＦ部分の拡大斜視図である。
【図１２】図１２は、側面シャッターが全閉した様子を示す斜視図である。
【図１３】図１３は、側面シャッターが全開した様子を示す斜視図である。
【図１４】図１４は、一方の側面シャッターが全閉し他方の側面シャッターが全開した様子を示す要部横断面図である。
【図１５】図１５は、側面シャッター板単体の斜視図である。
【図１６】図１６は、側面シャッター板の端部を拡大して示す拡大斜視図である。
【図１７】図１７は、正面パネルを取り外したグリルの側面シャッターのレール部分を拡大して示す拡大斜視図である。
【図１８】図１８は、側面シャッターが全開した様子を示す図１４のＧ−Ｇ線に沿う部分的な矢視断面図である。
【図１９】図１９は、側面シャッターが全閉した様子を示す図１４のＧ−Ｇ線に沿う部分的な矢視断面図である。
【図２０】図２０は、側面シャッターが全開した際つまみがグリルの外壁を跨ぐ様子を示す一部を断面とする斜視図である。
【発明を実施するための形態】
【００１３】
以下に、本発明にかかる自然給気ユニットの実施の形態を図面に基づいて詳細に説明する。なお、この実施の形態によりこの発明が限定されるものではない。
【００１４】
実施の形態．
図１は、この発明にかかる自然給気ユニットの全体を示す斜視図である。図２は、図１の自然給気ユニットのグリルとパイプガイドとを分離することによりフィルターを外した様子を示す斜視図である。図３は、図２の状態からグリルをさらに分解した様子を示す分解斜視図である。
【００１５】
［全体の概要］
本実施の形態の自然給気ユニット１００は、送風ファンなどの駆動手段を持たず、屋外と屋内との間で自然給気を行う自然給気ユニットである。自然給気ユニット１００は、外気を吸い込む吸込口１１を有するパイプガイド（筒体）１０と、偏平矩形箱状を成しパイプガイド１０の室内側に接続され側面に吹出口（上部吹出口２４，側部吹出口２５）を形成するグリル（本体）２０と、パイプガイド１０とグリル２０との間の風路に設けられ吸い込んだ外気を濾過する外気清浄フィルター（以降、フィルター）１８とを備えている（図３）。
【００１６】
パイプガイド１０は、円筒状を成し、一般に、屋外と屋内を区画する壁面を貫通する穴に設置された図示しないパイプに接続される。パイプガイド１０のグリル２０側は、グリル２０と接続されるために矩形のグリル２０と概略同じ寸法の矩形のフランジ部１２が設けられている。このフランジ部１２が形成されているグリル２０側の円筒の内部には、円板成型された繊維で成るフィルター１８を収納するために平板が格子状に配置されて成る格子枠１５が設けられている（図２，図３）。格子枠１５は、風路を通過する気流に与える抵抗が小さくなるように非常に薄い平板で構成されている。
【００１７】
グリル２０は、偏平矩形箱状を成し前面は全体にわたり正面パネル２２で覆われている。正面パネル２２の裏面には、結露防止の断熱材であるポリエチレンフォームが全面に貼着されている。グリル２０の側面には、３つの吹出口が設けられている。上面に設けられた上部吹出口２４は常に開放されている。側面に設けられた側部吹出口２５には、風量や風向きを調整するために側面シャッター板５１が設けられている。グリル２０のパイプガイド１０と接続する裏面には、パイプガイド１０との接続位置にパイプガイド１０の断面の約２／３の面積の開口が形成されており、この開口の中には、上記パイプガイド１０の格子枠１５と協同してフィルター１８を挟み込む同構造の格子枠２３が設けられている。
【００１８】
このような構成のグリル２０は、吸込口１１から吸い込まれた空気を３方向に振り分ける働きをする。すなわち、パイプガイド１０とグリル２０は、図１に点線矢印にて示すような吸込口１１から吹出口（上部吹出口２４，側部吹出口２５）に外気を誘導案内する風路を形成している。そして、グリル２０は、この風路を開閉する風路シャッター４０を有している。
【００１９】
図４は、正面パネル２２を外した状態で風路シャッター４０が半分開いた様子を示す斜視図である。図５は、正面パネル２２を外した状態で風路シャッター４０が全閉した様子を示す斜視図である。図６は、自然給気ユニット１００を半分に切断した様子を示す斜視図である。図７は、図６のＣ部分を拡大して示す斜視図である。図４，５に示す様に、風路シャッター４０は、２枚の主シャッター板４２，４３が連動してスライドし、収納部４４から出没する形式のスライドシャッターである。
【００２０】
この可動部が２分割されてなる主シャッター板４２，４３には、グリル２０の下部から下端部を突出させる操作レバー４６が連結されており、図４に矢印Ｂで示すように、操作者がこの操作レバー４６を左右にスライド動作させることで主シャッター板４２，４３が連動して開閉動作を行う構造となっている。
【００２１】
［フィルターおよび格子枠］
フィルター１８は、上記風路に設けられ吸い込んだ外気を濾過し、ホコリや虫などの侵入を防止する。フィルター１８は、上記のようにパイプガイド１０とグリル２０との間に挟まれて保持されているが、パイプガイド１０とグリル２０は互いの係合部を離脱することにより取り付け取り外しが可能とされており、これによりフィルター１８は着脱自在となっている。そして、このフィルター１８を風圧に耐えるように保持し、またフィルター１８の変形を防止する目的で、上記のように、グリル２０側に格子枠２３が設けられ（図４，６）、パイプガイド１０側に格子枠１５が設けられている（図２，６）。
【００２２】
格子枠２３は、パイプガイド１０の軸方向に所定の幅を有するため、この格子枠２３によって、主シャッター板４２，４３とフィルター１８の間にスペースができる。主シャッター板４２，４３とフィルター１８とが近接していると、フィルター１８の風路シャッター４０開口に対応した部分にしか流通風を通すことができないが、主シャッター板４２，４３とフィルター１８とを所定距離だけ離すことで、フィルター１８の全体で流通風を濾過させることが可能になり、フィルター１８の単位面積当たりの処理風量を拡散でき、換気抵抗を下げることができる。なお、後述するように、格子枠２３のうち、縦方向に延びる縦枠２３Ａは、主シャッター板４３のストッパーを兼ねている。
【００２３】
［風路シャッターの構成］
グリル２０の内部には、風路シャッター４０が設けられている。風路シャッター４０は、主シャッター板４２，４３と、この主シャッター板４２，４３をスライド可能に保持する下部レール４７および上部レール４８と、主シャッター板４２に連結されて主シャッター板４２，４３をスライド動作させる操作レバー４６と、操作レバー４６を任意の位置で係止し、これにより、風路シャッター４０の開口面積を多段階に調節するノッチ板４９とを含んで構成されている。
【００２４】
［風路シャッターの構造および動作］
偏平矩形箱状のグリル２０の上下の辺に沿って下部レール４７と上部レール４８が設けられている。２枚の主シャッター板４２，４３は、概略矩形平板状を成し、上辺と下辺を下部レール４７および上部レール４８にスライド可能に収納されている。風路シャッター４０が全開のとき、主シャッター板４２，４３は、収納部４４内に収納（重なっている）されている。主シャッター板４２，４３が、収納部４４内に収納されることにより、風圧による主シャッター板４２，４３のガタツキや外れなどが防止される。
【００２５】
グリル２０の底面には、吹出口は形成されておらず、底面の長手方向ほぼ全長にわたって延びるスライドスリット２０ｂが穿孔されている。操作レバー４６は、持ち手となる下端部を、このスライドスリット２０ｂから外部へ突出させている。そして、操作レバー４６は、主シャッター板４２，４３の上部のグリル２０に立設された回動軸２０ａに上端を軸支され下端部をスライドスリット２０ｂにて案内されて、主シャッター板４２，４３のスライド方向に傾動可能とされている。
【００２６】
［連動動作構造］
図８は、風路シャッターが全閉した様子を示す横断面図である。図４に示すように、主シャッター板４２は、裏面に下部に形成された連結凸部４２ａを、操作レバー４６に設けられた連結凹部４６ａに遊嵌させることにより操作レバー４６と連結しており、操作レバー４６をスライド移動させることでレール４７，４８に沿ってスライドする。
【００２７】
風路シャッター４０を開状態から閉状態にするとき、操作レバー４６を図８に示す矢印Ｄ方向に移動させると、主シャッター板４２は連動して矢印Ｄ方向に移動し、さらに主シャッター板４２は、縁部に沿って形成された凸部４２ｂを、同じく主シャッター板４３の縁部に沿って形成された凸部４３ａに引っ掛けて主シャッター板４３を収納部４４から引き出す。そして、風路シャッター４０が完全に全閉状態となるとき、主シャッター板４３は、背面側縁部中央に部分的に当接された凸部４３ｃを縦枠２３Ａに押し止められて、凸部４２ｂと縦枠２３Ａに狭持されるようにして保持される。すなわち、縦枠２３Ａは主シャッター板４３のストッパーを兼ねている。
【００２８】
一方、風路シャッター４０が閉状態から開状態になるときには、操作レバー４６を図８に示す矢印Ｅ方向に移動させると、主シャッター板４２は矢印Ｅ方向に移動し、さらに凸部４２ｂを主シャッター板４３の反対側の凸部４３ｂに当接させて主シャッター板４３を収納部４４側に押す。これにより、２枚の主シャッター板４２，４３は、重なって収納部４４に収納される。
【００２９】
［ノッチ構造］
図９は、操作レバー４６がノッチ板４９のノッチと係合した様子を示す斜視図である。図１０は、操作レバー４６がノッチと係合する様子を示す図９のＦ部分の拡大斜視図である。図１１は、操作レバー４６がノッチから外れた様子を示す拡大斜視図である。主シャッター板４２，４３の下部レール４７の装置前面側には、下部レール４７と一体にノッチ板４９が設けられている。このノッチ板４９には、操作レバー４６が係合するノッチとして複数の切り欠き４９ａが形成されている。一方、操作レバー４６の断面においては、ノッチ板４９に対応する位置に、図１０，１１に示すように、軸方向に延びる係合凸部４６ｂが形成されている。なお、操作レバー４６は、上記のように上端を主シャッター板４２，４３の上部で回動軸２０ａに軸支され下端部をスライドスリット２０ｂにて案内されて、主シャッター板４２，４３のスライド方向に傾動可能とされている。
【００３０】
操作レバー４６が傾動して、係合凸部４６ｂが任意の切り欠き４９ａと係合して主シャッター板４２，４３を任意の位置で保持することにより、風路シャッター４０の開口面積を任意の量として、自然給気ユニット１００の給気風量を調節することが可能となる。すなわち、操作レバー４６とノッチ板４９とは、自然給気ユニット１００の給気風量を多段階に調節する開口面積調整手段を構成している。なお、操作レバー４６は、切り欠き４９ａと係合するときは、特に応力がかからず真っ直ぐな状態を成すが、切り欠き４９ａをぬけると、両端を回動軸２０ａとスライドスリット２０ｂに支持されながら中間部をノッチ板４９により上方に持ち上げられるような状態となり弓なりに若干反る。これにより操作レバー４６に弾性応力が発生し、その反力によりスライドスリット２０ｂとの間に適度な摩擦力が発生するので、ガタツキがなく操作性のよいスライド動作をすることができる。
【００３１】
［組み立て工程］
主シャッター板４２，４３の収納位置近傍の上部レール４８の装置前面側の側壁４８ａには、主シャッター板４２，４３の短手方向幅よりも所定の長さ短い壁削除部分４８ｃが形成されている（図４，５，９）。そして、各主シャッター板４２，４３は、下辺部を下部レール４７に挿入した状態で、若干湾曲させるように変形させながら、この壁削除部分４８ｃから、主シャッター板４２，４３をレール４７，４８内への組み込むことができるようにされている。主シャッター板４２，４３は、一旦レール４７，４８内に組み込まれると、壁削除部分４８ｃは、主シャッター板４２，４３の幅よりも所定の長さ短いので、ここから脱落することはない。
【００３２】
なお、図７に示すように、下部レール４７の前側の側壁４７ａは、下部レール４７の後側の側壁４７ｂよりも高さが高い。これは、外気ともに吸い込んだ霧や風雨による水分が前側の側壁４７ａを乗り越えて室内側に流れ出ることを防止するもので、この場合下部レール４７はこの水分の排水路を兼ねている。
【００３３】
［側面シャッター］
図１２は、側面シャッター５０が全閉した様子を示す斜視図である。図１３は、側面シャッター５０が全開した様子を示す斜視図である。図１４は、一方の側面シャッター５０が全閉し他方の側面シャッター５０が全開した様子を示す要部横断面図である。上述したように、グリル２０の側面には、３つの吹出口が設けられており、上面に設けられた上部吹出口２４は常に開放され、側面に設けられた側部吹出口２５には、側面シャッター５０が設けられている。側面シャッター５０を設けることで、壁面側への気流制御や冷風感を低減させたい方向への気流を制限できる。なお、グリル２０の下方向への吹き出しは、冷風感を一番人体が受けやすい方向になるため、換気としての開口部を閉鎖している。
【００３４】
側部吹出口２５は、グリル２０の側面の前寄りに形成されている。側面シャッター５０は、側部吹出口２５の上下に設けられた一対のレール５７と、この一対のレール５７にスライド可能に設けられた側面シャッター板５１とから構成されている。グリル２０の側部吹出口２５の後側の側壁２６の内側が側面シャッター板５１の収納部となっており、側面シャッター板５１は、レール５７に案内されて、この収納部から出没するようにされている。
【００３５】
［側面シャッター板］
図１５は、側面シャッター板５１単体の斜視図である。図１６は、側面シャッター板５１の端部を拡大して示す拡大斜視図である。側面シャッター板５１は、概略細長平板状をなし、裏面には３方を囲むように縁壁が立設されている。すなわち、側面シャッター板５１のグリル２０前側の端辺の裏面に縁壁５２が立設されており、側面シャッター板５１の長手方向両端部の辺の裏面に縁壁５３が立設されている（図１６）。図１４に示すように、側面シャッター板５１の側部吹出口２５に臨む縁壁５２は、側部吹出口２５から吹き出す換気気流を室内の壁面から離す目的で、装置背面側に傾く傾斜面となっている。
【００３６】
［側面シャッター位置保持構造］
側面シャッター板５１の側面を構成する縁壁５３には、装置背面側の基部から装置前側の基先端部に向かって切れ込み５３ａが形成されている。この切れ込み５３ａにより分割された部分は、図１６に矢印Ｈにて示すように撓む所定の弾性を持つバネ部５４となっている。そして、このバネ部５４の先端近傍にかまぼこ形に突出する凸部５４ａが設けられている。側面シャッター板５１は、この凸部５４ａをレール５７の底面に所定の押圧力を持って当接させる。これにより、側面シャッター板５１の側面全体がレール５７に接触して大きな摩擦抵抗が発生することなく、逆に側面シャッター板５１とレール５７との間に隙間が生じて抵抗が無くなることがなく、所定の接触抵抗を持ってレール５７から支持される。この構造により、側面シャッター板５１は、全開位置と全閉位置との間の任意の位置で止まることができるようにされている。
【００３７】
図１７は、正面パネル２２を取り外したグリル２０の側面シャッターのレール５７部分を拡大して示す拡大斜視図である。図１８は、側面シャッター５０が全開した様子を示す図１４のＧ−Ｇ線に沿う部分的な矢視断面図である。図１９は、同じく側面シャッター５０が全閉した様子を示す断面図である。レール５７内には、スライド方向中間部に他の部部分より一段高さを高くする段部５７ａが設けられている。そして、凸部５４ａが装置背面側にこの段部５７ａを乗り越えた位置が側面シャッター５０の全開位置となるように、また凸部５４ａが装置前面側にこの段部５７ａを乗り越えた位置が側面シャッター５０の全閉位置となるように、段部５７ａの長さが調整されている。この構造により、側面シャッター板５１は、全開位置と全閉位置とで安定して保持される。
【００３８】
［側面シャッター全閉時の気密性確保構造］
側面シャッター板５１のグリル２０前側の端辺（側面シャッター板５１の側部吹出口２５に臨む端辺）には、側部吹出口２５側に張り出す補助壁５６が設けられている。この補助壁５６は、端辺に全長にわたって背の低い薄板状に形成され中央部が最も高い緩やかな円弧状を成している。そして、補助壁５６は沿って側面シャッター板５１が全閉状態となった際に、正面パネル２２の裏面に貼り付けたポリエチレンフォーム（弾性部材）６１に食い込むようになっている（図１４）。これにより、側面シャッター５０の全開位置での気密性向上を図っている。なお、補助壁５６が食い込んで気密性を高める部材は、ポリエチレンフォーム６１に限らず、例えば補助壁５６が当接する部分にゴム製の帯状シール部材を配置してもよい。
【００３９】
［つまみ構造］
側面シャッター板５１のグリル２０前側の端辺に、側面シャッター板５１の開閉操作を行うためのつまみ５５が設けられている。このつまみ５５は側面シャッター５０を開閉させるために必要なものであるが、側面シャッター板５１の端部に設けると開閉操作時に正面パネル２２に接するため使用しづらい、そのため、本実施の形態では、側面シャッター板５１を収納するグリル２０の壁を跨ぐようにつまみ５５を延長し、つまみ５５の位置を開方向あるいは閉方向にどちらに動作させても作業性が良い中間位置とした。
【００４０】
つまみ５５は、側面シャッター板５１の端縁から所定の高さ（グリルの収納部の壁面厚さ以上の高さ）だけ立ち上がり、その後側面シャッター板５１の主面中央側へほぼ直角に屈曲して主面と平行に所定の長さ延び、さらにその先端部は、操作者の指がかかり易いように主面と反対方向に曲げられている。なお、主面中央側へ延長される長さは、シャッター板を開閉時にどちらに動作させても作業性が良い操作をするうえで最適な長さとされてよい。一方、側面シャッター板５１の収納部を構成するグリル２０の側壁２６の吹出口の開口縁部には、つまみ５５の基部がちょうど入る大きさの切り欠き２６ａが形成されている（図１２）。
【００４１】
図２０は、側面シャッター５０が全開した際つまみ５５がグリルの外壁を跨ぐ様子を示す一部を断面とする斜視図である。上記のようなつまみ５５の構造によれば、図２０に示すように側面シャッター５０が全開のときには、つまみ５５が側壁２６を跨ぎ、側面シャッター板５１の先端側縁が側部吹出口２５から吹出口の開口縁部と概略重なる位置まで後退可能であるので、吹出口の開口面積を拡大でき、換気抵抗の低減も可能とする。一方、図１２に示すように側面シャッター５０が全閉のときには、つまみ５５がシャッター板の先端側縁部から延びているにも関わらず、操作者の指がかかる位置がシャッター板の中央付近に寄るので、つかみ易く操作性が向上する。
【００４２】
以上のように本実施の形態の自然給気ユニット１００によれば、グリル２０は、風路を開閉する風路シャッター４０を有しており、風路シャッター４０は、２枚の主シャッター板４２，４３が風路に直交する方向にスライドし重なって収納されるスライドシャッターであるので、風路シャッター４０が、全開したときの開口面積が大きく、これにより、換気抵抗が小さく換気効率の向上を図ることができる。主シャッター板４２は２枚に限らずさらに多くしてもよい。
【００４３】
また、２枚の主シャッター板４２，４３は、グリル２０内に風路を挟んで対向して設けられた一対のレール４７，４８により、スライド可能に支持されているので、コストが増大することなく、簡単な構成で気密性の高いシャッターを構成することができる。すなわち、スライド式のシャッターとすることで、上記先行技術文献に挙げたシャッター板を風路開口に押し付けるタイプのシャッターよりも気密性に優れたシャッターとすることができる。
【００４４】
さらに、フィルター１８は、風路から着脱自在とされており、フィルター１８を風路シャッター４０から所定距離離して風路内に支持する格子枠２３を有しており、格子枠２３のうち縦枠２３Ａは、主シャッター板４３のストッパーを兼ねるので、フィルター１８の全体で流通風を濾過させることが可能になり、フィルター１８の単位面積当たりの処理風量を拡散でき、換気抵抗を下げることができるとともに部品点数の削減を図ることができる。
【００４５】
さらにまた、主シャッター板４２に連結し風路シャッター４０を開閉する操作レバー４６と、主シャッター板４２，４３のスライド方向に延び操作レバー４６を係止する複数のノッチとして切り欠き４９ａが形成されたノッチ板４９とを備えているので、風路シャッター４０の開口面積を多段階に変化させて、自然給気ユニット１００の給気風量を多段階に調節することができる。
【００４６】
また、グリル２０の下部に設けられたレール４７の前側の側壁４７ａが、後側の側壁４７ｂよりも高いので、外気ともに吸い込んだ霧や風雨による水分が前側の側壁４７ａを乗り越えて室内側に流れ出ることを防止することができる。
【００４７】
さらに、側面シャッター５０は、側部吹出口２５に対向して設けられた一対のレール５７と、レール５７にスライド可能に支持された側面シャッター板５１を含んで構成されているので、コストが増大することなく、簡単な構成で気密性の高いシャッターを構成することができる。
【００４８】
さらにまた、側部吹出口２５は、グリル２０の側壁２６の前側に設けられ、側面シャッター板５１は、側部吹出口２５の背後側に設けられた収納部から出没するようにスライドするので、換気気流を壁面から離し換気気流による壁面汚れ防止するとともに気密性の高い機能性に優れたシャッターを構成することができる。
【００４９】
また、側面シャッター板５１は、側部吹出口２５側の端部につまみ５５を有しているので、シャッター開とするとき、側面シャッター板５１の概ね全体を収納部に収納することができ、側部吹出口２５の開口面積を拡大することができ、これにより換気抵抗を低減することができる。
【００５０】
さらに、つまみ５５は、側面シャッター板５１の端縁から立ち上がり側面シャッター板５１の主面中央側へ屈曲して延びているので、上記のように側部吹出口２５の開口面積を拡大することができるとともに、つまみ５５をあたかも側面シャッター板５１の主面中間部に設けたように操作性が向上する。
【産業上の利用可能性】
【００５１】
以上のように、本発明にかかる自然給気ユニットは、屋外から屋内へ自然給気により外気を取り入れる風路が形成された自然給気ユニットに有用である。
【符号の説明】
【００５２】
１０  パイプガイド（筒体）
１１  吸込口
１２  フランジ部
１５、２３  格子枠
１８  外気清浄フィルター（フィルター）
２０  グリル（本体）
２０ａ  回動軸
２０ｂ  スライドスリット
２２  正面パネル
２３Ａ  縦枠
２４  上部吹出口（吹出口）
２５  側部吹出口（吹出口）
２６  側壁
４０  風路シャッター
４２，４３  主シャッター板
４２ａ  連結凸部
４２ｂ，４３ａ，４３ｂ，４３ｃ  凸部
４４  収納部
４６  操作レバー
４６ａ  連結凹部
４６ｂ  係合凸部
４７  下部レール
４７ａ  前側の側壁
４７ｂ  後側の側壁
４８  上部レール
４８ａ  側壁
４８ｃ  壁削除部分
４９  ノッチ板
４９ａ  切り欠き（ノッチ）
５０  側面シャッター
５１  側面シャッター板
５２  縁壁
５３  縁壁
５４  バネ部
５４ａ  凸部
５６  補助壁
５７  レール
５７ａ  段部
６１  ポリエチレンフォーム
１００  自然給気ユニット
【図１】
0005465070.tif 000002
【図２】
0005465070.tif 000003
【図３】
0005465070.tif 000004
【図４】
0005465070.tif 000005
【図５】
0005465070.tif 000006
【図６】
0005465070.tif 000007
【図７】
0005465070.tif 000008
【図８】
0005465070.tif 000009
【図９】
0005465070.tif 000010
【図１０】
0005465070.tif 000011
【図１１】
0005465070.tif 000012
【図１２】
0005465070.tif 000013
【図１３】
0005465070.tif 000014
【図１４】
0005465070.tif 000015
【図１５】
0005465070.tif 000016
【図１６】
0005465070.tif 000017
【図１７】
0005465070.tif 000018
【図１８】
0005465070.tif 000019
【図１９】
0005465070.tif 000020
【図２０】
0005465070.tif 000021